(57)【要約】【課題】  両開扉錠の錠箱に接続された筒状の案内部材の曲げ剛性を高め、以て、デッド杆の円滑な案内を長期にわたって期待し得る錠箱を提供する。【解決手段】  横断面コ字形である第１及び第２案内枠１、２を有し、第２案内枠２の袖板４、４の間隔を、その間に第１案内枠１の一対の袖板４、４を隙間無く嵌め込むことができるように設定し、これら一対の案内枠の開口を相互に対向させて嵌め合わせることにより横断面矩形の筒体３を成形すると共に、この筒体の錠箱に接続される内端部の一方の袖板４を錠箱の底板の開口を通り、かつ錠箱の背板内面に沿って錠箱の天井板方向に延伸させ、また、他方の袖板４を錠箱の底板の開口を通った後錠箱の底板に沿うように直角に折り曲げ、第１及び第２案内枠１、２をかしめにより強固に結合する。【選択図】  図１０
2008031652.tif 000002
【特許請求の範囲】
【請求項１】
夫々一対の平行な袖板を備え、夫々横断面コ字形である第１及び第２案内枠を有し、これら第１及び第２案内枠の内一方の案内枠の袖板の間隔を、その間に他方の案内枠の一対の袖板を隙間無く填め込むことができるように設定し、これら一対の案内枠の開口を相互に対向させて填め合わせることにより横断面矩形の筒体を成形すると共に、この筒体の錠箱に接続される内端部の一方の袖板を錠箱の底板又は天井板の開口を通り、かつ錠箱の背板内面に沿って錠箱の天井板又は底板方向に延伸させ、また、他方の袖板を錠箱の底板又は天井板の開口を通った後錠箱の底板又は天井板に沿うように直角に折り曲げ、一方、上記袖板の延伸部及び折り曲げ部の側端縁に少なくとも１個の係合突起を形成し、これらの係合突起を、錠箱の側板に開口した係合穴に内側から係合させることにより筒体を錠箱に接続し、他方、上記筒体の外側案内枠の両袖板の開放側側端縁部に少なくとも１個のスリットを開口させ、このスリットより開放側の袖板側端縁にかしめ変形部を形成すると共に、筒体の内側案内枠の両袖板接続側側端縁にかしめ変形部と形状係合し得る受け穴を開口させ、第１及び第２案内枠を填め合わせて上記筒体を形成した後、上記かしめ変形部を内側に突出させ、これを受け穴に係合させることにより、第１及び第２案内枠を一体的に結合したことを特徴とする両開扉錠の錠箱。
【発明の詳細な説明】
【技術分野】
【０００１】
この発明は、両開扉錠の錠箱（以下単に錠箱という）に係り、特に、錠箱に一体的に接続され、扉内を通って床面及び／又は扉枠上辺に致る筒状の案内部材の剛性を高めた錠箱に関する。
【背景技術】
【０００２】
本出願人は、先に、後記特許文献１を以て、新規な両開扉錠を提案した。
この両開扉錠は、デッド杆の先端に回動可能に装着された係合シューをバックアップ杆の先端でバックアップすると共に、このバックアップ杆を親扉開放時少し動かして係合シューを自由にし、親扉の開放を容易にしたものである。
【特許文献１】特願２００５−３７０１３１
【発明の開示】
【発明が解決しようとする課題】
【０００３】
上記した特許文献１に記載の発明による錠箱は、錠箱に一体的に接続され、デッド杆及びバックアップ杆を摺動可能に案内する筒状の案内部材が、デッド杆を介して側圧を受ける。
【０００４】
この側圧は、案内部材を介して錠箱に担持される構造であるが、上記特許文献１に記載の発明による錠箱においては、この筒状の案内部材が板材を矩形に折り曲げたもので構成され、曲げ剛性が小さいので、係合シューにかかる側圧（図１１において係合シュー１５がストライク１６から受ける紙面方向の反力）が大きいときには案内部材が弾性変形し、デッド杆の円滑な案内が少し心配になる、等未だ改良の余地がある。
【０００５】
そこで、この発明は、両開扉錠の錠箱に接続された筒状の案内部材の曲げ剛性を高め、以て、デッド杆の円滑な案内を長期にわたって期待し得る錠箱を提供することを目的としている。
【課題を解決するための手段】
【０００６】
上記の目的を達成するため、請求項１に記載の発明は、夫々一対の平行な袖板を備え、夫々横断面コ字形である第１及び第２案内枠を有し、これら第１及び第２案内枠の内一方の案内枠の袖板の間隔を、その間に他方の案内枠の一対の袖板を隙間無く填め込むことができるように設定し、これら一対の案内枠の開口を相互に対向させて嵌め合わせることにより横断面矩形の筒体を成形すると共に、この筒体の錠箱に接続される内端部の一方の袖板を錠箱の底板又は天井板の開口を通り、かつ錠箱の背板内面に沿って錠箱の天井板又は底板方向に延伸させ、また、他方の袖板を錠箱の底板又は天井板の開口を通った後錠箱の底板又は天井板に沿うように直角に折り曲げ、一方、上記袖板の延伸部及び折り曲げ部の側端縁に少なくとも１個の係合突起を形成し、これらの係合突起を、錠箱の側板に開口した係合穴に内側から係合させることにより筒体を錠箱に接続し、他方、上記筒体の外側案内枠の両袖板の開放側側端縁部に少なくとも１個のスリットを開口させ、このスリットより開放側の袖板側端縁にかしめ変形部を形成すると共に、筒体の内側案内枠の両袖板接続側側端縁にかしめ変形部と係合し得る受け穴を開口させ、第１及び第２案内枠を嵌め合わせて上記筒体を形成した後、上記かしめ変形部を内側に突出させ、これを受け穴に係合させることにより、第１及び第２案内枠を一体的に結合したことを特徴とする。
【発明の効果】
【０００７】
上記のように構成された請求項１に記載の発明による錠箱は、錠箱の天井板又は底板の開口を通って錠箱内に差し入れられた袖板の延長部の幅が錠箱にかかる側圧方向に一致するので、換言すれば、筒体を弾性変形させようとする曲げモーメントは袖板の延長部の幅方向に作用するので、曲げモーメントが板厚方向に作用する場合と比較して格段に曲げ剛性が向上する。
【０００８】
また、デッド杆を案内する筒体の側圧を受ける方向が片側で夫々２重になった袖板の幅方向なので、２重に接合された袖板がかしめによって一体的に結合されていることと相俟て、筒体自体の側圧に対する剛性が向上する。
【０００９】
更にまた、第１及び第２案内枠それ自体の製造及び結合が全て塑性加工を利用して実施できるので、製造が容易である、等種々の効果を奏する。
【発明を実施するための最良の形態】
【００１０】
断面コ字形の第１及び第２案内枠を、開口を相互に対向させて嵌め合わせ、袖板部をかしめによって一体的に結合すると共に、筒体と錠箱とを連結する袖板の延長部の幅方向を、錠箱が受ける側圧方向に一致させたので、側圧によって錠箱に印加される曲げモーメントに対する剛性を向上させることができた。
【実施例１】
【００１１】
以下、請求項１に記載の発明の実施例を図面を参照して説明する。
図１乃至図３において符号１は第１案内枠を、図４乃至図６において符号２は第２案内枠を、図７乃至図１０において符号３は、これら第１及び第２案内枠１、２を組合わせ、かしめによって一体的に結合した筒体を夫々示す。
【００１２】
なお、図示の実施例における第１及び第２案内枠１、２及び筒体３は、何れも親扉の自由側端縁部の下方に設けられ、デッド杆を床面に係止するものである。
【００１３】
上記第１案内枠１は、図１及び図２に示すように、板材を折り曲げ、一対の平行な袖板４、４を背板５で一体に連結した横断面コ字形の枠体である。
【００１４】
また、図４乃至図６に示すように、第２案内枠２も一対の平行な袖板４、４を背板５で一体に連結した横断面コ字形の枠体である。
【００１５】
但し、第２案内枠２の袖板４、４の間隔は、図７に示すように、その間に第１案内枠１の袖板４、４を隙間無く嵌め込み、図７乃至図９に示すように、横断面矩形の筒体３を形成できるように設定されている。
【００１６】
更にまた、図示の実施例では、第１及び第２案内枠１、２を嵌め合わせて組立たとき、長さ方向（図２、図３及び図５で上下方向）の相対位置を容易に設定できるように、図３に示すように、第１案内枠１の両袖板４、４の開放側側端縁に夫々少なくとも１個（図３では５個）の係合突起６、６が一体に突設されている。
【００１７】
これに対応して、図４乃至図６に示すように、第２案内枠２の背板５の両側端の所定の位置に、上記係合突起６、６と同数でこれと係合可能な係合穴７、７が開口している。
【００１８】
そして、図７に示すように、第２案内枠２の間に第１案内枠１を包持するように嵌め合わせ、係合突起６を第２案内枠２の対応する係合穴７に内側から係合させたとき、例えば図８に示すように第１及び第２案内枠１、２の下端縁が整合するように、すなわち、第１及び第２案内枠１、２の上下方向の相対位置が一義的に定まるように構成されている。
【００１９】
また、図７乃至図１０に示すように組み立てられた筒体３を錠箱８（図１１参照）に接続するため、筒体の錠箱８に接続される内端部（図示の実施例では上端部）の一方の袖板４（図示の実施例では第１案内枠１の図２で左側の袖板４）を錠箱８の底板の開口９（図１２参照）を通り、錠箱の背板内面に沿って上方に延伸させている（図１１参照）。
【００２０】
ちなみに、通常、錠箱８は上面が開いた偏平な箱状の身８ａ（図１２参照）と称される部分と、蓋８ｂ（図１３参照）と称される部分とに別れ、身８ａ中に各種部材を組み込んだ後、蓋８ｂで覆い、両者を例えばねじ止めによって結合する構造である。
【００２１】
図２に戻って、第１案内枠１の図２で左側の袖板４は、図１１に示すように、錠箱の底板の開口９（図１２参照）を通った後、錠箱の底板内面に沿うように直角に折り曲げられている。
【００２２】
そして、上記錠箱８内に差し入れられた袖板４の延伸部及び折り曲げ部を錠箱に連結するため、図１乃至図３に示すように、袖板４の延伸部及び折り曲げ部の側端縁に夫々少なくとも１個（図示の実施例では延伸部の各側端縁に２個、折り曲げ部の各側端縁には１個）の係合突起６が形成されている。
【００２３】
これに対応して、錠箱の開口９付近の側板には、各係合突起６が内側から係合できるように係合穴１１（図１２及び図１３参照）が開口しており、各係合突起６を対応する係合穴１１に内側から係合させることにより、筒体３を錠箱８に接続する。
【００２４】
一方、図７乃至図１０に示すように組み立てられた第１及び第２案内枠１、２を更に強固に結合するため、図６に示すように、第２案内枠の両袖板４の開放側の側端縁に少なくとも１個（図示の実施例では４個）のスリット１２が開口している。
【００２５】
そして、このスリット１２より開放側（図６ではスリット１２より右側）の袖板側端縁がかしめ変形部１３となっている。
【００２６】
これに対応して、図３に示すように、第１案内枠１の両袖板の接続側（図３では右側）の側端縁に、各かしめ変形部１３に対応して、これと同数で、上記かしめ変形部１３が内側に突出したときこれと係合し得る受穴１４、１４が開口している。
【００２７】
上記のように形成された第１及び第２案内枠１、２は、前記したように、また、図７乃至図９に示すように組合わせた後、図９及び図１０に示すように、上記かしめ変形部１３をポンチなどで内側に塑性変形させる。
【００２８】
すると、図９及び図１２に示すように、かしめ変形部１３が内側に突出して受穴１４に嵌まり込むように係合し、このようにして第１及び第２案内枠１、２が一体的に、かつ強固に結合される。
【００２９】
このように構成された本発明による錠箱は、簡単な構造でありながら、特にデッド杆を案内する筒部の剛性及び強度が格段に向上し、デッド杆の先端の係合シューが側圧を受けても弾性変形しないことは前記した通りである。
【図面の簡単な説明】
【００３０】
【図１】第１案内枠の平面図。
【図２】第１案内枠の正面図。
【図３】第１案内枠の側面図。
【図４】第２案内枠の一部断面平面図。
【図５】第２案内枠の正面図。
【図６】第２案内枠の側面図。
【図７】筒体の平面図。
【図８】筒体の正面図。
【図９】筒体の側面図。
【図１０】筒体の背面図。
【図１１】両開扉錠の一部断面側面図。
【図１２】錠箱の身の側面図。
【図１３】錠箱の蓋の側面図。
【符号の説明】
【００３１】
１  第１案内枠
２  第２案内枠
３  筒体
４  袖板
５  背板
６  係合突起
７  係合穴
８  錠箱
９  開口
１１  係合穴
１２  スリット
１３  かしめ変形部
１４  受穴
１５  係合シュー
１６  ストライク
【図１】
2008031652.tif 000003
【図２】
2008031652.tif 000004
【図３】
2008031652.tif 000005
【図４】
2008031652.tif 000006
【図５】
2008031652.tif 000007
【図６】
2008031652.tif 000008
【図７】
2008031652.tif 000009
【図８】
2008031652.tif 000010
【図９】
2008031652.tif 000011
【図１０】
2008031652.tif 000012
【図１１】
2008031652.tif 000013
【図１２】
2008031652.tif 000014
【図１３】
2008031652.tif 000015